(57)【要約】【課題】  空中作業が難しいＰＣ梁橋梁工事において、簡単な組立だけでＰＣ梁下部に仮設フレームを完成させ、前記仮設フレーム上に床束、安全網または作業足場を設置することにより、スラブコンクリートの打設及び橋梁の維持補修を簡便に行うことができるＰＣ梁橋用仮設ブラケット及びその設置方法を提供する。【解決手段】  本発明のＰＣ梁橋用仮設ブラケットは、全体的な形状が逆Ｔ字形のパイプ部材であって、折り曲げ傾斜した傾斜部と、前記傾斜部と連続して形成された垂直部と、前記傾斜部と垂直部にかけて形成されているガイド板と、を含む垂直部と；前記垂直部と直角に形成されて、前記傾斜部反対側に上部及び下部面に結合溝が形成された水平部と；を含む一対の支持部材と；  前記一対の支持部材の水平部に挿入されるパイプ部材であって、上下方向に貫通される一定間隔の締結孔が複数形成された連結部材と；  前記一対の支持部材と連結部材とに設置されて支持部材を左右方向に移動させる一対の移動装置と；を含む。
2005527721.tif 000002
【特許請求の範囲】
【請求項１】
全体的な形状が逆Ｔ字形のパイプ部材であって、折り曲げ傾斜した傾斜部と、前記傾斜部と連続して形成された垂直部と、前記傾斜部と垂直部にかけて形成されているガイド板と、を含む垂直部と；前記垂直部と直角に形成されて、前記傾斜部の反対側に上部及び下部面に結合溝が形成された水平部と；を含む一対の支持部材と；
前記一対の支持部材の水平部に挿入されるパイプ部材であって、上下方向に貫通する一定間隔の締結孔が複数形成された連結部材と；
前記一対の支持部材と連結部材に設置されて支持部材を左右方向に移動させる一対の移動装置と；
を含むことを特徴とするＰＣ（Ｐｒｅｃａｓｔ  Ｃｏｎｃｒｅｔｅ）梁橋用仮設ブラケット。
【請求項２】
前記移動装置は、全体的な形状が旗状であり、前記支持部材の結合溝及び連結部材の締結孔を貫いて上下方向に動く固定棒と；
前記固定棒の上端側面に形成される板であって、対角線方向に形成された結合溝と、前記結合溝上端部反対側に形成された連結孔と、を含む固定板と；
前記固定板の左右方向に位置し、前記支持部材の垂直部と水平部の接合外周面に沿って形成される２枚の四角板であって、前記支持部材の傾斜部反対側に前記２枚の四角板の上端部を貫く固定ピンが挿入されている結合孔が形成された固定枠と；
を含んで構成されることを特徴とする請求項１記載のＰＣ梁橋用仮設ブラケット。
【請求項３】
前記移動装置は、全体的な形状が旗状であり、前記支持部材の結合溝及び連結部材の締結孔を貫いて上下方向に動く固定棒と；
前記固定棒の上端側面に形成される板であって、前記板の固定棒側上端部に形成された連結孔と、前記連結孔の対角線方向に形成された結合孔と、を含む固定板と；
前記固定板の左右方向に位置し、前記支持部材の垂直部と水平部の接合外周面に沿って形成される２枚の四角板であって、前記固定板の結合孔と結合される結合溝が対角線方向に形成されている固定枠と；
を含んで構成されることを特徴とする請求項１記載のＰＣ梁橋用仮設ブラケット。
【請求項４】
前記移動装置は、全体的な形状がＹ字形であり、上端部には貫通する連結孔が形成されており、前記連結孔の下には貫通する固定ピンが挿入されている結合孔が形成されており、前記支持部材の結合溝と連結部材の締結孔とを貫いて上下方向に動く固定バーと；
前記固定バーの上端の切開部を貫いて斜めに設置され、一方の先端は傾いて前記支持部材の垂直部の傾斜部に接して固定されており、他方の先端は水平部に固定されており、前記傾いた先端には一定の大きさの貫通孔が形成されており、前記固定バーの結合孔と結合される切欠部が長さ方向に形成されている固定枠と；
を含んで構成されることを特徴とする請求項１記載のＰＣ梁橋用仮設ブラケット。
【請求項５】
前記移動装置は、全体的な形状がＹ字形であり、上端部には貫通する固定ピンが挿入された結合孔が形成されており、前記支持部材の結合溝と連結部材の締結孔を貫いて上下方向に動く固定バーと；
前記固定バーの上部外側に形成され、両先端は前記固定バーの固定ピンが貫通されて前記固定バーの外側にそれぞれ固定される掛け金と；
前記固定バーの上端の切開部を貫いて斜めに設置され、一方の先端は傾いて前記支持部材の垂直部の傾斜部に接して固定されており、他方の先端は水平部に固定されており、前記傾いた先端には一定の大きさの貫通孔が形成されている固定枠と；
を含んで構成されることを特徴とする請求項１記載のＰＣ梁橋用仮設ブラケット。
【請求項６】
前記移動装置は、先端まで延びた連結孔が形成されており、前記連結孔下の一定の位置には斜めに穿孔された貫通孔が形成されている上部板と、前記上部板の下端部と結合されて前記支持部材の結合溝及び連結部材の締結孔を貫いて上下方向に動く下部棒と、から構成される固定バーと；
前記固定バーの貫通孔を介して前記支持部材の垂直部と水平部にそれぞれの先端が斜めに延びた連結棒と；
を含んで構成されることを特徴とする請求項１記載のＰＣ梁橋用仮設ブラケット。
【請求項７】
前記支持部材の結合溝が形成された水平部の外周面にはネジ山がさらに形成されていることを特徴とする請求項１記載のＰＣ梁橋用仮設ブラケット。
【請求項８】
前記移動装置は、前記支持部材の水平部結合溝と連結部材の締結孔とが整合される所定の位置に挿入される固定バーと；
前記支持部材の垂直部と水平部との接合外周面に沿って形成される２枚の四角板であって、前記支持部材の傾斜部反対側に前記２枚の四角板の上端部を貫く固定ピンが挿入されている結合孔が形成された固定枠と；
前記固定バーと支持部材との間に位置し、締結される取っ手付きのナットと；
を含み、前記ナットが支持部材の水平部に沿って左右方向に移動することによって支持部材も左右方向に移動することを特徴とする請求項７記載のＰＣ梁橋用仮設ブラケット。
【請求項９】
全体的な形状が逆Ｔ字形のパイプ部材であって、折り曲げ傾斜した傾斜部と、前記傾斜部と連続して形成された垂直部と、前記傾斜部と垂直部にかけて形成されているガイド板と、を含む垂直部と；前記垂直部と直角に形成され、前記傾斜部反対側に上部及び下部面に結合孔が形成された水平部と；を含む一対の支持部材と；
前記支持部材の垂直部と水平部の接合外周面に沿って形成される四角板であって、前記支持部材の傾斜部反対側に前記四角板の上端部を貫く固定ピンが挿入されている結合孔が形成された固定枠と；
前記一対の支持部材の水平部に挿入されるパイプ部材であって、上下方向に貫通される一定間隔の締結孔が複数形成された連結部材と；
前記支持部材の水平部結合孔と連結部材の締結孔とが整合される所定の位置に挿入されて固定される締結ピンと；
を含んで構成されることを特徴とするＰＣ梁橋用仮設ブラケット。
【請求項１０】
前記ＰＣ梁橋用仮設ブラケットは、前記一対の支持部材の垂直部に連続して設置され、側面に前記一対の支持部材の間を連結するパイプ部材が貫通する貫通孔が形成されている一定の長さの垂直連結部材をさらに含んで構成することを特徴とする請求項１または９記載のＰＣ梁橋用仮設ブラケット。
【請求項１１】
前記移動装置は、連結孔または貫通孔に嵌め込まれる鉤部を含む設置棒をＰＣ梁上部で上下方向に動かすか、または前記設置棒の鉤部をナットの取っ手にかけてナットが回転されることで上下方向に移動されることを特徴とする請求項２、３、４、５、６及び８のいずれかに記載のＰＣ梁橋用仮設ブラケット。
【請求項１２】
橋梁の橋脚が完成し、橋脚上部にＰＣ梁が設置されると、
請求項１または９記載のＰＣ梁橋用仮設ブラケットをＰＣ梁上部で組み立てる段階と；
前記組み立てられたＰＣ梁橋用仮設ブラケットをＰＣ梁下端部まで斜めに下ろして、前記ＰＣ梁に位置させる段階と；
前記ＰＣ梁橋用仮設ブラケットをＰＣ梁下端部に密着させる段階と；
を含むことを特徴とするＰＣ梁橋用仮設ブラケット設置方法。
【請求項１３】
前記ＰＣ梁橋用仮設ブラケットに請求項１０記載の垂直連結部材を設置する段階をさらに含むことを特徴とする請求項１２記載のＰＣ梁橋用仮設ブラケット設置方法。
【発明の詳細な説明】
【技術分野】
【０００１】
本発明は、プレキャストコンクリート（Ｐｒｅｃａｓｔ  Ｃｏｎｃｒｅｔｅ：以下、「ＰＣ」という）梁橋用仮設ブラケット及びその設置方法に係り、より具体的には、ＰＣ梁橋梁工事において簡単な組立、設置だけでＰＣ梁下端部に仮設ブラケットを完成させるが、前記仮設ブラケットの組立及び設置はＰＣ梁の上部で成されるので、高所作業での作業者の危険を回避することのできるＰＣ梁橋用仮設ブラケット及びその設置方法に関する。
【背景技術】
【０００２】
一般的に、橋梁工事において築造された橋脚上部にスラブ打設をするための仮設方法は、橋梁の形式、現場の地形、構造物の高さ、橋梁下部の交通状態、工期及び工事費などの様々な総合的な要素を考慮して選定される。
【０００３】
従来、上部構造物を設置するための仮設工法としては、既に築造された橋脚の間にガーターを支持するための仮橋脚を設置し、橋脚下部地盤からシステムサポートなどを用いて床束を設置した後、その上部にスラブコンクリート打設のための鋳型を設置する床束工法、橋脚上部に木材の床束を設置する木材床束工法、または自動化された床束工法と鋳型を用いて１スパンを一度に施工する移動支保工工法（Ｍｏｖａｂｌｅ  ｓｃａｆｆｏｌｄｉｎｇ  ｓｙｓｔｅｍ）などが主に用いられてきた。
【０００４】
ところが、橋脚下部地盤から床束を設置する床束工法は、仮設工事の高さが高くなると多くの資材と人手を要し、桁下空間が仮設空間として確保されなければならないという短所を伴い、床束及び鋳型の設置とは別に作業者の作業空間を確保するために、ガーター上部に突出した鉄筋で鉄線を連結した後、側面に下ろして単管パイプを縛って作業足場または安全網などの仮設材を設置する足場作業を先ず行わなければならない。
【０００５】
一方、木材床束を設置する工法は、ガーターとガーターとの間に作業台及びスラブ床束を所要間隔で設置した後、合板などでスラブ鋳型を組み立てる方式からなるが、木材床束は加工性が良くて初期費用が安い一方で部材自体の剛性が良くないため、狭い間隔で設置されなければならず、設置と解体作業が繰り返されると破損し易くなって結果的に仮設工事費を増大させる。
【０００６】
また、移動支保工工法では地盤から床束を設置する必要がなく、桁下空間や地盤などの条件に左右されずに施工することができるが、設置作業が複雑で、大型装備の投入が必須であり、橋梁の維持補修のための仮設工法としては適用することができない。
【０００７】
よって、本発明者は、従来の欠点を解消しながら、ＰＣ梁下部で簡単に床束、作業足場または安全網を設置することができ、鋼材で製作されるので経済性のある作業が可能であり、橋梁の維持補修のための仮設作業にも適用できるように、下記実用新案文献１のＰＣ梁橋用仮設ブラケットを考案したが、前記ＰＣ梁橋用ブラケットは、ＰＣ梁の下部でしか仮設ブラケットの設置作業ができないため、高所での作業では危険が伴って作業者の安全を確保し難く、仮設装置設置時に別途の装備を要することから、これを解決することができる手段の開発が切実に求められていた。
（実用新案文献１）大韓民国登録実用新案第２４５２８４号
【発明の開示】
【発明が解決しようとする課題】
【０００８】
本発明は、かかる従来の問題点を解決するために案出されたもので、その技術的目的は、空中作業が難しいＰＣ梁橋梁工事において、簡単な組立だけでＰＣ梁下部に仮設フレームを完成させ、前記仮設フレーム上に床束、安全網または作業足場を設置することにより、スラブコンクリートの打設及び橋梁の維持補修を簡便に行うことができるようなＰＣ梁橋用仮設ブラケット及びその設置方法を提供することにある。
【０００９】
また、本発明の他の技術的目的は、ＰＣ梁橋用仮設ブラケットの組立及び設置がＰＣ梁上部で行われるので、ＰＣ梁下部における作業のための、別途の設置物施工が不要となり、高所作業での危険が回避され、作業者の安全を図ることのできるＰＣ梁橋用仮設ブラケット及びその設置方法を提供することにある。
【課題を解決するための手段】
【００１０】
前記のような技術的目的を達成するために、本発明は、全体的な形状が逆Ｔ字形のパイプ部材であって、折り曲げ傾斜した傾斜部と、前記傾斜部と連続して形成された垂直部と、前記傾斜部と垂直部にかけて形成されているガイド板と、を含む垂直部と；前記垂直部と直角に形成されて、前記傾斜部反対側に上部及び下部面に結合溝が形成された水平部と；を含む一対の支持部材と；
前記一対の支持部材の水平部に挿入されるパイプ部材であって、上下方向に貫通される一定間隔の締結孔が複数形成された連結部材と；
前記一対の支持部材と連結部材とに設置されて支持部材を左右方向に移動させる一対の移動装置と；を含むことを特徴とするＰＣ梁橋用仮設ブラケットを提供する。
【００１１】
また、本発明は、前記のようなＰＣ梁橋用仮設ブラケットを設置する方法であって、橋梁の橋脚が完成し、橋脚上部にＰＣ梁が設置されると、本発明のＰＣ梁橋用仮設ブラケットをＰＣ梁橋用上部で組み立てる段階と；前記組み立てられたＰＣ梁橋用仮設ブラケットをＰＣ梁下端部まで斜めに下りて前記ＰＣ梁に位置させる段階と；前記ＰＣ梁橋用仮設ブラケットをＰＣ梁下端部に密着させる段階と；を含んでなるＰＣ梁橋用仮設ブラケット設置方法を提供する。
【発明の効果】
【００１２】
本発明に係るＰＣ梁橋用仮設ブラケット及びその設置方法は、空中作業が困難なＰＣ梁橋梁工事において簡単な組立、設置だけでＰＣ梁下部に仮設フレームを完成させ、前記仮設フレーム上の床束、安全網または作業足場を設置することにより、スラブコンクリートの打設及び橋梁の維持補修を簡便に行うことができる移動支保工工法のためのＰＣ梁橋用仮設ブラケット及びその設置方法を提供することにその効果がある。
【００１３】
また、本発明に係るＰＣ梁橋用仮設ブラケットの設置は、床束などの仮設のためにＰＣ梁の下部で作業した従来の技術と異なり、あらゆる作業がＰＣ梁の上部で行われるので、ＰＣ梁下部作業のための別途の設置物施工が不要となり、資材コストが低減され、高所作業での危険が回避されて作業者の安全を図ることができる。
【発明を実施するための最良の形態】
【００１４】
以下、添付図を参照しつつ、本発明に係る実施例とともに、本発明をより詳細に説明する。
【００１５】
図１〜図８ｂは、本発明のＰＣ梁橋用仮設ブラケット１００、１００’の具体例の斜視図、正面図、及び平面図であって、
図１〜図７ｃに示すように、本発明のＰＣ梁橋用仮設ブラケット１００は、全体的な形状が逆Ｔ字形のパイプ部材であって、折り曲げ傾斜した傾斜部と、前記傾斜部と連続して形成された垂直部と、前記傾斜部と垂直部にかけて形成されているガイド板１１１ａと、を含む垂直部１１１と；前記垂直部１１１と直角に形成され、前記傾斜部反対側に上部及び下部面に結合溝１１２ａが形成された水平部１１２と；を含む一対の支持部材１１０と；
前記一対の支持部材１１０の水平部１１２に挿入されるパイプ部材として、上下方向に貫通される一定間隔の締結孔１３１が複数形成された連結部材１３０と；
前記一対の支持部材１１０と連結部材１３０に設置されて支持部材１１０を左右方向に移動させる一対の移動装置１４０と；から構成されるか、
または、図８に示すように、本発明のＰＣ梁橋用仮設ブラケット１００’は、全体的な形状が逆Ｔ字形のパイプ部材であって、折り曲げ傾斜した傾斜部と、前記傾斜部と連続して形成された垂直部と、前記傾斜部と垂直部にかけて形成されているガイド板１１１ａと、を含む垂直部１１１と；前記垂直部１１１と直角に形成され、前記傾斜部反対側に上部及び下部面に結合溝１１２ａが形成された水平部１１２と；を含む一対の支持部材１１０と；
前記支持部材１１０の垂直部１１１と水平部１１２の接合外周面に沿って形成される２枚の四角板であって、前記支持部材１１０の傾斜部反対側に前記２枚の四角板の上端部を貫く固定ピン１４１ｂが挿入されている結合孔１２１が形成された固定枠１２０と；
前記一対の支持部材１１０の水平部１１１に挿入されるパイプ部材であって、上下方向に貫通される一定間隔の締結孔１３１が複数形成された連結部材１３０と；
前記支持部材１１０の水平部１１２結合溝１１２ａと連結部材１３０の締結孔１３１とが整合される所定の位置に挿入されて固定される締結ピン１５０と；から構成される。
前記ＰＣ梁橋用仮設ブラケット１００’は、前述のＰＣ梁橋用仮設ブラケット１００よりＰＣ梁２への密着効果は落ちるが、施工が容易、且つ簡便であり、施工時には、前述のＰＣ梁橋用仮設ブラケット１００、１００’から一つを選んで用いても構わない。
【００１６】
この時、前記一対の支持部材１１０の水平部１１２及び連結部材１３０は、角型パイプまたは丸型パイプなど、施工にふさわしい形態であればいずれでも構わない。
【００１７】
また、前記一対の支持部材１１０の垂直部１１１の傾斜部及び垂直部にかけて形成されているガイド板１１１ａは、ＰＣ梁２の下部フランジに前記ＰＣ梁橋用仮設ブラケット１００設置時、ＰＣ梁２のフランジで前記ＰＣ梁橋用仮設ブラケット１００が適正な位置に来るよう誘導し、ＰＣ梁橋用仮設ブラケット１００の垂直部１１１を補強する役目をする。
【００１８】
また、前記一対の支持部材１１０の水平部１１２に形成されている結合溝１１２ａは、図１１に示すように、水平部上部面の結合溝ａと下部面の結合溝ｂの形態を異にして、後述される移動装置１４１、１４１’、１４４、１４４’、１４５の固定棒１４１ｄ及び固定バー１４４ｃ、１４４ｃ’、１４５ａの挿入が容易なようにすることができ、図面に示されたａ、ｂ形態やその他の形態の結合溝１１２ａを一つ選び、前記水平部１１２の結合溝１１２ａの形態を決めることができる。
【００１９】
また、前記一対の支持部材１１０の垂直部１１１の傾斜部の傾斜角度は、ＰＣ梁の大きさ及び形式によって変更される。
【００２０】
本発明のＰＣ梁橋用仮設ブラケット１００及びその設置方法では、橋梁に作業足場などの仮設物を設置する場合、ガーターの間に形成されている梁による施工上の問題、すなわち、ガーター下部における足場設置の難しさなどを解決するために、図９に示すように、前記一対の支持部材１１０の垂直部１１１に連続して垂直連結部材１３０ａを設置することができ、前記一対の支持部材１１０の垂直連結部材１３０ａの間に水平にパイプ部材を設置して、その上部に作業足場などを設置することで梁による施工上の問題を解消する。また、前述したように、垂直連結部材１３０ａが設置されたＰＣ梁橋用仮設ブラケット１００を施工することで、ガーター下部における作業足場などの設置が容易になるだけでなく、施工完了後、ＰＣ梁橋用仮設ブラケット１００の解体作業も、容易に行うことができる。この時、本発明のＰＣ梁橋用仮設ブラケット１００において、前記垂直連結部材１３０ａの設置可否は、施工現場の状況に合わせて択一して施工される。
【００２１】
本発明のＰＣ梁橋用仮設ブラケット１００で用いられる前記移動装置１４０は、形態によって旗形移動装置１４１、変形旗形移動装置１４１’、Ｙ字形移動装置１４４、変形Ｙ字形移動装置１４４’、直線形移動装置１４５及びナット形移動装置１４２に区別される。
【００２２】
旗形移動装置１４１は、図１及び図２に示すように、前記支持部材１１０の結合溝１１２ａ及び連結部材１３０の締結孔１３１を貫いて上下方向に動く固定棒１４１ｄと；前記固定棒１４１ｄの上端側面に形成される板であって、対角線方向に形成された結合溝１４１ａと、前記結合溝１４１ａの上端部の反対側に形成された連結孔１４１ｅと、を含む固定板１４１ｃと；前記固定板１４１ｃの左右方向に位置し、前記一対の支持部材１１０の垂直部１１１と水平部１１２の接合外周面に沿って形成される２枚の四角板であって、前記支持部材１１０の傾斜部の反対側に前記２枚の四角板の上端部を貫く固定ピン１４１ｂが挿入されている結合孔１２１が形成された固定枠１２０と；を含む移動装置１４１であり、前記旗形移動装置１４１を上下方向に移動させる時、前記固定板１４１ｃの結合溝１４１ａに沿って固定枠１２０の固定ピン１４１ｂが対角線方向に移動することにより、支持部材１１０が左右方向に移動する。
【００２３】
この時、前記移動装置１４１の固定板１４１ｃと固定棒１４１ｄ及び後述される固定板１４１ｃ’と固定棒１４１ｄ、固定バー１４４ｃ、１４４ｃ’、１４５ａは、一定の自重を有し、前記旗形移動装置１４１及び後述される移動装置１４１’、１４４、１４４’、１４５を移動させる場合、下方への移動が容易になり、前記支持部材１１０の左右移動も容易に行われる。
【００２４】
また、前述したような旗形移動装置１４１の代わりに、図３に示すように、全体的な形状が旗状であり、前記支持部材１１０の結合溝１１２ａ及び連結部材１３０の締結孔１３１を貫いて上下方向に動く固定棒１４１ｄと；前記固定棒１４１ｄの上端側面に形成される板であって、前記板の固定棒１４１ｄ側の上端部に形成された連結孔１４１ｅと、前記連結孔１４１ｅの対角線方向に形成された結合孔と、を含む固定板１４１ｃ’と；前記固定板１４１ｃ’の左右方向に位置し、前記支持部材１１０の垂直部１１１と水平部１１２の接合外周面に沿って形成される２枚の四角板であって、固定ピン１４１ｂを介して前記固定板１４１ｃ’の結合孔と結合される結合溝１２２が対角線方向に形成されている固定枠１２０ａと；から構成される、変形旗形移動装置１４１’を用いても構わない。
【００２５】
また、前記旗形移動装置１４１と変形旗形移動装置１４１’は、ＰＣ梁２のフランジ下部側面に前記支持部材１１０が密着すると、後述される終端が鉤状に加工された設置棒（図示せず）を前記固定板１４１ｃ、１４１ｃ’の連結孔１４１ｅに挿入させ、該設置棒を上下左右方向に動かすことによって、前記一対の支持部材１００が左右方向に移動しながら前記ＰＣ梁２に密着、固定されるようにする。
【００２６】
前記旗形移動装置１４１と変形旗形移動装置１４１’は、両端部のフランジが同一の傾斜角を保持しながら、フランジ断面を形成する一般的な橋梁用ＰＣ梁２のいかなる断面状態にも適応することのできる望ましい装置であって、後述されるＹ字形移動装置１４４、変形Ｙ字形移動装置１４４’、直線形移動装置１４５及びナット形移動装置１４２よりさらに効果的、且つ安定的に前記支持部材１１０をＰＣ梁２に固定、設置させることができる。
【００２７】
本発明のＰＣ梁橋用仮設ブラケットで用いられるＹ字形移動装置１４４は、図４に示すように、全体的な形状がＹ字形形状であり、上端部には貫通される連結孔１４４ｄが形成されており、前記連結孔１４４ｄの下には貫通する固定ピン１４４ｅが挿入されている結合孔（図示せず）が形成されており、前記支持部材１１０の結合溝１１２ａと連結部材１３０の締結孔１３１とを貫いて上下方向に動く固定バー１４４ｃと；前記固定バー１４４ｃの上端切開部を貫いて斜めに設置され、一方の先端は傾いて前記支持部材１１０の垂直部１１１の傾斜部に当接して固定されており、他方の先端は水平部１１２に固定されており、前記傾いた先端には一定の大きさの貫通孔１４４ｇが形成されており、前記固定バー１４４ｃの結合孔（図示せず）と固定ピン１４４ｅを介して結合される切欠部１４４ｂが長さ方向に形成されている固定枠１４４ａと；から構成される。前記Ｙ字形移動装置１４４は、前記移動装置１４４の連結孔１４４ｄに後述される設置棒（図示せず）が挿入されて上下方向に移動するとともに、前記固定バー１４４ｃが固定枠１４４ａの切欠部１４４ｂに沿って対角線方向に移動することにより、前記支持部材１１０が左右方向に移動するようになる。
【００２８】
また、前記Ｙ字形移動装置１４４の代わりに、変形Ｙ字形移動装置１４４’を用いることもできる。前記変形Ｙ字形移動装置１４４’は、図５に示すように、全体的な形状がＹ字形であり、上端部には貫通する固定ピン１４４ｅが挿入された結合孔（図示せず）が形成されており、前記支持部材１１０の結合溝１１２ａと連結部材１３０の締結孔１３１とを貫いて上下方向に動く固定バー１４４ｃと；前記固定バー１４４ｃの上部外側に形成されており、両先端は前記固定バー１４４ｃの固定ピン１４４ｅが貫通されて前記Ｙ字形固定バー１４４ｄの外側にそれぞれ固定される掛け金１４４ｈと；前記固定バー１４４ｄの上端の切開部を貫いて斜めに設置され、一方の先端は傾いて前記支持部材１１０の垂直部１１１の傾斜部に当接して固定されており、他方の先端は水平部１１２に固定されており、前記傾いた先端には一定の大きさの貫通孔１４４ｇが形成されている固定枠１４４ａ’と；から構成される。この時、前記一先端が傾いた固定枠１４４ａ’は、前記支持部材１１０の垂直部１１１の傾斜部に固定されることで前記垂直部１１１を補強する役目をする。また、前記変形Ｙ字形移動装置１４４’では、前述した前記Ｙ字形移動装置１４４とは異なり、前記固定枠１４４ａ’の貫通孔１４４ｇに後述の設置棒（図示せず）を挿入し、それを持ち上げると、前記変形Ｙ字形移動装置１４４’が上下方向に移動し、これにより前記一対の支持部材１１０が左右方向に移動する。前記変形Ｙ字形移動装置１４４’は、前述したＹ字形移動装置１４４よりも設置棒（図示せず）の挿入がより容易である。また、前記固定バー１４４ｃ’上部外側に形成された掛け金１４４ｈにも後述の設置棒（図示せず）をかけることで、前記変形Ｙ字形移動装置１４４’の設置及び解体を容易にすることができ、前記掛け金１４４ｈは、図面に示すように、アーチ型またはその他の設置棒をかけ得る形状であれば、いずれでも構わない。
【００２９】
また、直線形移動装置１４５は、図６に示すように、一先端に貫通する連結孔１４５ｂが形成されており、前記連結孔１４５ｂ下の一定の位置には斜めに穿孔された貫通孔１４５ｃが形成されている上部板と、前記上部板の下端部と結合され、前記支持部材１１０の結合溝１１２ａ及び連結部材１３０の締結孔１３１を貫いて上下方向に動く下部棒と、から構成される固定バー１４５ａと；前記固定バー１４５ａの貫通孔１４５ｃを介して前記支持部材１１０の垂直部１１１と水平部１１２にそれぞれの先端が斜めに固定される連結棒（１４５ｄ）と；から構成される。前記直線形移動装置１４５は、前述したように、ＰＣ梁２のフランジ下部側面に前記支持部材１１０が密着すると、前記固定バー１４５ａの連結孔１４５ｂに挿入される後述の設置棒（図示せず）を上下方向に動かし、前記固定バー１４５ａが連結棒１４５ｄに沿って対角線方向に動くようになり、これにより前記一対の支持部材１００は左右方向に移動し、前記ＰＣ梁２に密着、固定される。
【００３０】
また、ナット形移動装置１４２は、図７に示すように、前記支持部材１１０の水平部１１２の結合溝１１２ａと連結部材１３０の締結孔１３１とが整合される所定の位置に挿入される固定バー１４２ａと；前記支持部材１１０の垂直部１１１と水平部１１２の接合外周面に沿って形成される２枚の四角板であって、前記支持部材１１０の傾斜部反対側に前記２枚の四角板の上端部を貫く固定ピン１４１ｂが挿入される結合孔１２１が形成された固定枠１２０と；前記固定バー１４２ａと支持部材１１０との間に位置して締結される取っ手付きのナット１４２ｂと；を含む。前記ナット形移動装置１４２は、前記ナット１４２ｂが支持部材１１０の水平部１１２に沿って左右方向に移動することにより、支持部材１１０も左右方向に移動する。この時、前記ナット形移動装置１４２の場合も、後述の設置棒（図示せず）を利用してナット１４２ｂを回転させることにより、最終的に支持部材１１０を左右方向に移動させる。
【００３１】
また、前記ナット形移動装置１４２の利用時に用いられる前記支持部材１１０の水平部１１２にはネジ山１１２ｂが形成され、取っ手付きのナット１４２ｂがネジ式に移動し得る。また、図面には、前記固定枠１２０ｂが単一板で形成されているが、前記固定枠１２０ｂは、施工現場の状況によって前述した旗形移動装置１４１または変形旗形移動装置１４１’のように、一つ以上の板で形成しても良い。
【００３２】
前記ＰＣ梁橋用仮設ブラケット１００をＰＣ梁２に設置する場合、前述の移動装置１４１、１４１’、１４２、１４４、１４４’、１４５のうち、施工状況によって一つを選んで施工する。
【００３３】
また、本発明のＰＣ梁橋用仮設ブラケット１００で用いられる設置棒（図示せず）は、一方の先端にはＬ字形に曲折している鉤部が、他方の先端には取っ手がそれぞれ形成されている環棒や鉄筋などであって、前記移動装置１４０を上下（旗形移動装置、変形旗形移動装置、Ｙ字形移動装置、変形Ｙ字形移動装置、直線形移動装置）または回転（ナット形移動装置）させて固定することに用いられる。
【００３４】
図９は、橋梁のＰＣ梁２に本発明のＰＣ梁橋用仮設ブラケット１００が設置された状態を簡略に示す斜視図である。本発明のＰＣ梁橋用仮設ブラケット１００を利用した設置方法は、橋梁の橋脚１が完成し、橋脚１上部にＰＣ梁２が設置されると、ＰＣ梁橋用仮設ブラケット１００をＰＣ梁２上部に組み立てる段階と；前記組み立てられたＰＣ梁橋用仮設ブラケット１００をＰＣ梁２下端部まで斜めに下ろして前記ＰＣ梁２に位置させる段階と；前記ＰＣ梁橋用仮設ブラケット１００を、移動装置１４０を利用してＰＣ梁２下端部に密着させる段階と；を含む。
【００３５】
本発明のＰＣ梁橋用仮設ブラケット１００を利用した設置方法の詳細な具体例は次のとおりであり、以下、移動装置１４０は旗形移動装置１４１を基準に説明する。
【００３６】
ＰＣ梁橋において下部構造物である橋脚工事が完成すると、橋脚１上部にＰＣ梁２が一定の間隔で設置され、上部構造物であるコンクリートスラブ打設のための仮設作業が開始される。
【００３７】
前記完成した橋脚１のＰＣ梁２の上部で前記ＰＣ梁橋用仮設ブラケット１００の連結部材１３０を一対の支持部材１１０の水平部１１２に挿入する。その後、前記連結部材１３０の締結孔１３１と支持部材１１０の水平部１１２の結合溝１１２ａとが整合される所定の位置に、前記移動装置１４１の固定棒１４１ｄを挿入し、前記移動装置１４１の固定枠１２０の結合孔１２１と固定板１４１ｃの結合溝１４１ａとが整合される所定の位置に、固定ピン１４１ｂを挿入することにより、連結及び締結を完了する。この時、前記移動装置１４１の固定棒１４１ｄは、前記ＰＣ梁２の適正間隔を考慮して挿入位置が決定され、前記固定枠１２０の結合孔１２１と固定板１４１ｃの結合溝１４１ａとに挿入される固定ピン１４１ｂは、締結時に前記固定板１４１ｃの結合溝１４１ａに沿って上下方向に移動可能なくらいの余裕を置いて締結する。結局、図１及び図２のように、移動装置１４１が上に上がった状態で、固定枠１２０の固定ピン１４１ｂは固定板１４１ｃの結合溝１４１ａの下端部に位置しており、移動装置１４１が下がることによって、前記固定板１４１ｃの結合溝１４１ａは固定ピン１４１ｂを基準に下の対角線方向に移動し、これにより前記一対の支持部材１１０は左右方向に移動する。結局、移動装置１４１の移動量は、固定板１４１ｃの結合溝１４１ａの水平長さによって決定されるが、その移動量に合わせて支持部材１１０の水平部１１２の結合溝１１２ａの長さを設計し、連結部材１３０の締結孔１３１の間隔を調整する必要がある。
【００３８】
また、前述したように、組み立てられたＰＣ梁橋用仮設ブラケット１００を梁２に設置する場合、前記設置梁２の梁による施工上の問題解決と、上板が形成された既存橋梁の診断や維持補修を容易にするために、図１０に示すように、前記ＰＣ梁橋用仮設ブラケット１００の一対の支持部材１１０の垂直部１１１に連続して垂直連結部材１３０ａを設置する。前記ＰＣ梁橋用仮設ブラケット１００に垂直連結部材１３０ａを設置した後、垂直連結部材１３０ａの間に水平に置かれるパイプ部材を設置し、その上部に作業足場などを乗せることで、ガーター下部でのＰＣ梁橋用仮設ブラケット１００の設置及び解体を容易にする。前記垂直連結部材１３０ａの設置可否は、施工状況に合わせて決定する。
【００３９】
その後、前記組み立てられた一対のＰＣ梁橋用仮設ブラケット１００を、前記固定板１４１ｃの連結孔１４１ｅに設置棒（図示せず）を挿入して両ＰＣ梁２間の間隔を見ながら、前記ＰＣ梁２の下部面まで斜めに下ろした後、前記ＰＣ梁２とＰＣ梁橋用仮設ブラケット１００が垂直を成すように支持部材１１０のガイド板１１１ａを利用して位置させる。この時、前記一対の支持部材１１０の垂直部１１１に形成されているガイド板１１１ａは、ＰＣ梁橋用仮設ブラケット１００が適正な位置に来るように誘導しながら接触面を増加させ、前記ＰＣ梁２との密着を強固にし、垂直部１１１の補強板の役割をする。すなわち、荷重が集中する垂直部と傾斜部の折曲部位に沿って前記ガイド板１１１ａが形成されることにより、ガイド板１１１ａが折曲部位を補強するようになる。
【００４０】
前記ＰＣ梁２フランジに支持部材の垂直部１１１の傾斜部が当接するように設置した後、前記固定板１４１ｃの連結孔１４１ｅに挿入された設置棒（図示せず）を上下方向に動かしたり、連結部材１３０を持ち上げたり、振ったりしながら自重を有する前記固定板１４１ｃの重さが移動装置１４１に伝わるようにして前記ＰＣ梁橋用仮設ブラケット１００がＰＣ梁２に密着するようにする。また、前述したように、締結された一対の支持部材１００の連結部材１３０上に荷重がかかったり、作業者が通行するようになって震動が発生すると、前記移動装置１４１は重力によって前記ＰＣ梁２により堅固に締結される。
【００４１】
前記旗形移動装置１４１の代わりに固定棒１４１ｄと；板状の部材であって、その上面を貫く連結孔１４１ｅ及び前記連結孔１４１ｅの対角線方向に位置して、内部に固定ピン１４１ｂが嵌め込むことができるように結合孔（図示せず）が穿孔されている固定板１４１ｃ’と；前記固定ピン１４１ｂを介して前記結合孔と結合される結合溝１２２が斜線方向に形成されている固定枠１２０ａと；から構成される、変形旗形移動装置１４１’を用いる場合にも、前述の方法と同一の方法で施工する。
【００４２】
前記旗形移動装置１４１の代わりにＹ字形移動装置１４４または直線形移動装置１４５を用いる場合にも、前記支持部材１１０の結合溝１１２ａと連結部材１３０の締結孔１３１とが整合される所定の位置に挿入される固定バー１４４ｃ、１４５ａの連結孔１４４ｄ、１４５ｂに設置棒（図示せず）を挿入して、前述した旗形移動装置１４１の同様に、前記設置棒（図示せず）を上下方向に動かしながら前記固定バー１４４ｃ、１４５ａを前記Ｙ字形移動装置１４４の固定枠１４４ａの切欠部１４４ｂまたは直線形移動装置１４５の連結棒（１４５ｄ）に沿って移動させることにより、前記一対の支持部材１１０を左右方向に移動させる。この時、前記Ｙ字形移動装置１４４は、設置棒（図示せず）を前記固定枠１４４ａの貫通孔１４４ｇに挿入して施工することもできる。以下、他の施工方法は、前記旗形移動装置１４１の施工方法と同一である。
【００４３】
しかしながら、変形Ｙ字形移動装置１４４’を用いる場合では、前記設置棒（図示せず）を前記固定枠１４４ａ’の貫通孔１４４ｇに挿入し、それを持ち上げて上下方向に動かすと、前記一対の支持部材１１０が左右方向に移動するようになり、前記固定バー１４４ｃ’は、固定バー１４４ｃ’の自重と前記設置棒（図示せず）の動きによる衝撃で前記固定枠１４４ａ’に沿って対角線方向に移動する。また、前記変形Ｙ字形移動装置１４４’の掛け金１４４ｈにも前記設置棒（図示せず）をかけて動かすことができ、前記移動装置１４４’及び支持部材１１０の移動を容易にする。この時、前記掛け金１４４ｈは、ＰＣ梁橋用仮設ブラケット１００の設置のみならず、解体時にも容易に用いられる。以下、他の施工方法は、前記旗形移動装置１４１の施工方法と同一である。
【００４４】
また、前述した移動装置１４１、１４１’、１４４、１４４’、１４５の代わりにナット形移動装置１４２を用いる場合、前記連結部材１３０の締結孔１３１と支持部材１１０の水平部１１２の結合溝１１２ａとが整合される所定の位置に、前記ＰＣ梁２の間隔を考慮して取っ手付きのナット１４２ｂと固定バー１４２ａを挿入し、前記設置棒（図示せず）を固定枠１４１ｃの結合孔１２１に挿入して、前記ナット形移動装置１４２をＰＣ梁２の下部面まで下ろす。その後、前記固定枠１４１ｃの結合孔１２１から設置棒（図示せず）を取り除いた後、前記設置棒（図示せず）を用いて前記支持部材１１０と連結部材１３０に挿入されている取っ手付きのナット１４２ｂを回転させながら締結する。以下、他の施工方法は、前記旗形移動装置１４１の施工方法と同一である。
【００４５】
また、本発明のＰＣ梁橋用仮設ブラケット１００’を設置する場合には、前記ＰＣ梁橋用仮設ブラケット１００で前述したように、完成した橋脚１のＰＣ梁２の上部で前記一対の支持部材１１０と連結部材１３０を組み立てた後、前記支持部材１１０の結合溝１１２ａと連結部材１３０の締結孔１３１とが整合される所定の位置に、前記ＰＣ梁２間の間隔を考慮して締結ピン１５０を挿入して固定させる。次いで、前記ＰＣ梁橋用仮設ブラケット１００’に形成されている固定枠１４１ｃの連結孔１４１ｅに、前記設置棒（図示せず）を挿入して、ＰＣ梁２の下部面まで前記ＰＣ梁橋用仮設ブラケット１００’を下ろした後、同じ位置に位置させる。この時、前記ＰＣ梁橋用仮設ブラケット１００’にも前述の垂直連結部材１３０ａの設置が可能であり、以下の設置方法は、前述のＰＣ梁橋用仮設ブラケット１００と実質的に同一である。
【００４６】
後に、上板が形成された維持補修作業や解体を行う際は、前記設置棒（図示せず）の長さを短くし、梃子を作って橋脚で作業を開始しても良い。また、前記垂直部１１１に垂直連結部材１３０ａが形成されている場合には、前記垂直連結部材１３０ａ間のパイプ部材上部に設置されている足場でＰＣ梁橋用仮設ブラケット１００、１００’  を解体していき、前述の設置方法の逆の順で解体しても良い。
【産業上の利用可能性】
【００４７】
本発明に係るＰＣ梁橋用仮設ブラケット及びその設置方法は、空中作業が困難なＰＣ梁橋梁工事において簡単な組立、設置だけでＰＣ梁下部に仮設フレームを完成させ、前記仮設フレーム上の床束、安全網または作業足場を設置することにより、スラブコンクリートの打設及び橋梁の維持補修を簡便に行うことができる移動支保工工法のためのＰＣ梁橋用仮設ブラケット及びその設置方法を提供することにその効果がある。
【００４８】
また、本発明に係るＰＣ梁橋用仮設ブラケットの設置は、床束などの仮設のためにＰＣ梁の下部で作業した従来の技術と異なり、あらゆる作業がＰＣ梁の上部で行われるので、ＰＣ梁下部作業のための別途の設置物施工が不要となり、資材コストが低減され、高所作業での危険が回避されて作業者の安全を図ることができる。
【図面の簡単な説明】
【００４９】
【図１】本発明のＰＣ梁橋用仮設ブラケットの旗形移動装置を利用した具体例の正面図である。
【図２】本発明のＰＣ梁橋用仮設ブラケットの旗形移動装置を利用した具体例の斜視図である。
【図３】本発明のＰＣ梁橋用仮設ブラケットの変形旗形移動装置を利用した具体例の斜視図ａ、正面図ｂ、及び平面図ｃである。
【図４】本発明のＰＣ梁橋用仮設ブラケットのＹ字形移動装置を利用した具体例の斜視図ａ、正面図ｂ、及び平面図ｃである。
【図５】本発明のＰＣ梁橋用仮設ブラケットの変形Ｙ字形移動装置を利用した具体例の斜視図ａ、正面図ｂ、及び平面図ｃである。
【図６】本発明のＰＣ梁橋用仮設ブラケットの直線形移動装置を利用した具体例の斜視図ａ、正面図ｂ、及び平面図ｃである。
【図７】本発明のＰＣ梁橋用仮設ブラケットのナット形移動装置を利用した具体例の斜視図ａ、及び正面図ｂである。
【図８】本発明のＰＣ梁橋用仮設ブラケットの締結ピンを利用した具体例の斜視図ａ、及び正面図ｂである。
【図９】本発明のＰＣ梁橋用仮設ブラケットの設置状態を示す実施例の斜視図である。
【図１０】本発明のＰＣ梁橋用仮設ブラケットの設置状態を示す他の実施例の正面図である。
【図１１】本発明のＰＣ梁橋用仮設ブラケットの支持部材における結合溝の状態を示す平面図である。
【符号の説明】
【００５０】
１    橋脚
２    ＰＣ梁
１００、１００’    ＰＣ梁橋用仮設ブラケット
１１０    支持部材
１１１    垂直部
１１１ａ    ガイド板
１１２    水平部
１１２ａ    （水平部）結合溝
１１２ｂ    ネジ山
１２０、１２０ａ    固定枠
１２１    （固定枠）結合孔
１２２    （固定枠）結合溝
１３０    連結部材
１３０ａ    垂直連結部材
１３１    締結孔
１４０    移動装置
１４１    旗形移動装置
１４１’    変形旗形移動装置
１４１ａ    （旗形移動装置）結合溝
１４１ｂ    （旗形、変形旗形移動装置）固定ピン
１４１ｃ    （旗形移動装置）固定板
１４１ｃ’    （変形旗形移動装置）固定板
１４１ｄ    （旗形、変形旗形移動装置）固定棒
１４１ｅ    （変形旗形移動装置）連結孔
１４２    ナット形移動装置
１４２ａ    （ナット形移動装置）固定バー
１４２ｂ    （ナット形移動装置）ナット
１４４    Ｙ字形移動装置
１４４’    変形Ｙ字形移動装置
１４４ａ    （Ｙ字形移動装置）固定枠
１４４ａ’    （変形Ｙ字形移動装置）固定枠
１４４ｂ    （Ｙ字形移動装置）結合溝
１４４ｃ    （Ｙ字形移動装置）固定バー
１４４ｃ’    （変形Ｙ字形移動装置）固定バー
１４４ｄ    （Ｙ字形、変形Ｙ字形移動装置）連結孔
１４４ｅ    （Ｙ字形移動装置）固定ピン
１４４ｇ    （変形Ｙ字形移動装置）貫通孔
１４４ｈ    （変形Ｙ字形移動装置）掛け金
１４５    直線形移動装置
１４５ａ    （直線形移動装置）固定バー
１４５ｂ    （直線形移動装置）連結孔
１４５ｃ    （直線形移動装置）貫通孔
１４５ｄ    （直線形移動装置）連結棒
１５０    締結ピン
【図１】
2005527721.tif 000003
【図２】
2005527721.tif 000004
【図３】
2005527721.tif 000005
【図４】
2005527721.tif 000006
【図５】
2005527721.tif 000007
【図６】
2005527721.tif 000008
【図７】
2005527721.tif 000009
【図８】
2005527721.tif 000010
【図９】
2005527721.tif 000011
【図１０】
2005527721.tif 000012
【図１１】
2005527721.tif 000013
【国際調査報告】
2005527721.tif 000014
2005527721.tif 000015